(57)【要約】【課題】簡単な構成で装置の不正使用あるいは盗難の防止を図ることができる装置盗難検出装置を提供する。【解決手段】装置本体１が設置される場所の床面に配置され、固有の識別情報を発信する情報発信手段としてのＲＦＩＤ１０と、装置本体１に内蔵され、前記情報発信手段にアクセスし、前記固有の識別情報を受信する通信手段と、受信した前記固有の識別情報が予めメモリに記憶されている識別情報と一致したか否かを判定する判定手段とを含むＲＦＩＤ読取装置２０と、前記判定手段の判定結果に基づいて一致したと判定された場合には前記装置本体の動作を有効とし、不一致と判定された場合には前記装置本体の動作を禁止して前記装置本体の機能を停止させるように制御する制御手段としての制御部３０と、異常報知を行う警報部４０と有している。【選択図】図３
2009217374.tif 000002
【特許請求の範囲】
【請求項１】
装置本体が設置される所定の場所の床面に配置された情報発信手段により固有の識別情報を発信する第１の手順と、
装置本体に内蔵された通信手段により前記情報発信手段にアクセスし、前記固有の識別情報を受信する第２の手順と、
判定手段により受信した前記固有の識別情報が予めメモリに記憶されている識別情報と一致したか否かを判定する第３の手順と、
制御手段により前記判定手段の判定結果に基づいて一致したと判定された場合には前記装置本体の動作を有効とし、不一致と判定された場合には前記装置本体の動作を禁止して前記装置本体の機能を停止させるように制御する第４の手順と、
を有することを特徴とする装置盗難検出方法。
【請求項２】
装置本体が設置される所定の場所の床面に配置された情報発信手段により固有の識別情報を発信する第１の手順と、
装置本体に内蔵された通信手段により前記情報発信手段にアクセスし、前記固有の識別情報を受信する第２の手順と、
判定手段により受信した前記固有の識別情報が予めメモリに記憶されている識別情報と一致したか否かを判定する第３の手順と、
制御手段により、前記判定手段の判定結果に基づいて一致したと判定された場合には前記装置本体の動作を有効とし、不一致と判定された場合には異常を報知する警報報知部を駆動する第５の手順と、
を有することを特徴とする装置盗難検出方法。
【請求項３】
装置本体が設置される所定の場所の床面に配置された情報発信手段により固有の識別情報を発信する第１の手順と、
装置本体に内蔵された通信手段により前記情報発信手段にアクセスし、前記固有の識別情報を受信する第２の手順と、
判定手段により受信した前記固有の識別情報が予めメモリに記憶されている識別情報と一致したか否かを判定する第３の手順と、
制御手段により、前記判定手段の判定結果に基づいて一致したと判定された場合には前記装置本体の動作を有効とし、不一致と判定された場合には前記装置本体の動作を禁止して前記装置本体の機能を停止させ、かつ異常を報知する警報報知部を駆動するように制御する第６の手順と、
を有することを特徴とする装置盗難検出方法。
【請求項４】
装置本体が設置される所定の場所の床面に配置され、固有の識別情報を発信する情報発信手段と、
装置本体に内蔵され、前記情報発信手段にアクセスし、前記固有の識別情報を受信する通信手段と、
受信した前記固有の識別情報が予めメモリに記憶されている識別情報と一致したか否かを判定する判定手段と、
前記判定手段の判定結果に基づいて一致したと判定された場合には前記装置本体の動作を有効とし、不一致と判定された場合には前記装置本体の動作を禁止して前記装置本体の機能を停止させるように制御する制御手段と、
を有することを特徴とする装置盗難検出装置。
【請求項５】
装置本体が設置される所定の場所の床面に配置され、固有の識別情報を発信する情報発信手段と、
装置本体に内蔵され、前記情報発信手段にアクセスし、前記固有の識別情報を受信する通信手段と、
受信した前記固有の識別情報が予めメモリに記憶されている識別情報と一致したか否かを判定する判定手段と、
警報音を発する警報報知部と、
前記判定手段の判定結果に基づいて一致したと判定された場合には前記装置本体の動作を有効とし、不一致と判定された場合には前記警報報知部を駆動する制御手段と、
を有することを特徴とする装置盗難検出装置。
【請求項６】
装置本体が設置される場所の床面に配置され、固有の識別情報を発信する情報発信手段と、
装置本体に内蔵され、前記情報発信手段にアクセスし、前記固有の識別情報を受信する通信手段と、
受信した前記固有の識別情報が予めメモリに記憶されている識別情報と一致したか否かを判定する判定手段と、
警報音を発する警報報知部と、
前記判定手段の判定結果に基づいて一致したと判定された場合には前記装置本体の動作を有効とし、不一致と判定された場合には前記装置本体の動作を禁止して前記装置本体の機能を停止させ、かつ前記警報報知部を駆動するように制御する制御手段と、
を有することを特徴とする装置盗難検出装置。
【発明の詳細な説明】
【技術分野】
【０００１】
本発明は、券売機、ＡＴＭ（自動取引装置）、自動販売機等の装置盗難検出方法及び装置に関する。
【背景技術】
【０００２】
従来の券売機、ＡＴＭ等は通常、監視者のいない、無人状態の屋内に設置されている。最近では、重機を用いて、これらの装置が盗まれるような事件も発生している。監視のためには、テレビカメラ等を含む監視システムが必要になる。
【発明の開示】
【発明が解決しようとする課題】
【０００３】
しかしながら券売機、ＡＴＭ（自動取引装置）、自動販売機等の装置の不正使用あるいは盗難防止を目的として所定の場所に設置された装置周辺を監視するためには、テレビカメラ等を含む監視システムが必要になるが、システム構成が複雑であり、コスト高となるという問題があり、簡単な構成で不正使用の防止、あるいは盗難の防止を可能とすることが望まれていた。
【０００４】
本発明は、このような事情に鑑みてなされたものであり、簡単な構成で装置の不正使用あるいは盗難の防止を図ることができる装置盗難検出方法及び装置を提供することを目的とする。
【課題を解決するための手段】
【０００５】
上記目的を達成するために、本発明の装置盗難防止方法は、装置本体が設置される場所の床面に配置された情報発信手段により固有の識別情報を発信する第１の手順と、装置本体に内蔵された通信手段により前記情報発信手段にアクセスし、前記固有の識別情報を受信する第２の手順と、判定手段により受信した前記固有の識別情報が予めメモリに記憶されている識別情報と一致したか否かを判定する第３の手順と、制御手段により前記判定手段の判定結果に基づいて一致したと判定された場合には前記装置本体の動作を有効とし、不一致と判定された場合には前記装置本体の動作を禁止して前記装置本体の機能を停止させるように制御する第４の手順とを有することを特徴とする。
【０００６】
上記構成の本発明の装置盗難防止方法では、このような手順により、装置本体が設置される所定の場所の床面に配置された情報発信手段により固有の識別情報を発信し、装置本体側では、装置本体に内蔵された通信手段により前記情報発信手段にアクセスし、前記固有の識別情報を受信し、判定手段により前記受信した前記固有の識別情報が予めメモリに記憶されている識別情報と一致したか否かを判定し、制御手段により前記判定手段の判定結果に基づいて一致したと判定された場合には前記装置本体の動作を有効とし、不一致と判定された場合には前記装置本体の動作を禁止して前記装置本体の機能を停止させる。
【０００７】
したがって、装置本体を所定の設置位置から移動させた場合には、装置本体側では、情報発信手段から発信されるべき固有の識別情報を受信できなくなるため、制御手段により、装置本体の動作が禁止され、装置本体の機能が停止される。このため、装置本体の不正使用を防止できる。このように、簡単な構成で装置本体の不正使用を防止できる。
【０００８】
また、本発明の装置盗難防止方法は、装置本体が設置される場所の床面に配置された情報発信手段により固有の識別情報を発信する第１の手順と、装置本体に内蔵された通信手段により前記情報発信手段にアクセスし、前記固有の識別情報を受信する第２の手順と、判定手段により受信した前記固有の識別情報が予めメモリに記憶されている識別情報と一致したか否かを判定する第３の手順と、制御手段により、前記判定手段の判定結果に基づいて一致したと判定された場合には前記装置本体の動作を有効とし、不一致と判定された場合には異常を報知する警報報知部を駆動する第５の手順とを有することを特徴とする。
【０００９】
上記構成の本発明の装置盗難防止方法では、このような手順により、装置本体が設置される所定の場所の床面に配置された情報発信手段により固有の識別情報を発信し、装置本体側では、装置本体に内蔵された通信手段により前記情報発信手段にアクセスし、前記固有の識別情報を受信し、判定手段により前記受信した前記固有の識別情報が予めメモリに記憶されている識別情報と一致したか否かを判定し、制御手段により前記判定手段の判定結果に基づいて一致したと判定された場合には前記装置本体の動作を有効とし、不一致と判定された場合には異常を報知する警報報知部を駆動する。
【００１０】
したがって、装置本体を所定の設置位置から移動させた場合には、装置本体側では、情報発信手段から発信されるべき固有の識別情報を受信できなくなるため、制御手段により、警報音により異常を報知する警報報知部が駆動される。このため、異常が発生したことが周囲に報知され、装置本体の不正使用または盗難を防止できる。このように、簡単な構成で装置本体の不正使用もしくは盗難を防止できる。
【００１１】
また、本発明の装置盗難防止方法は、装置本体が設置される場所の床面に配置された情報発信手段により固有の識別情報を発信する第１の手順と、装置本体に内蔵された通信手段により前記情報発信手段にアクセスし、前記固有の識別情報を受信する第２の手順と、判定手段により受信した前記固有の識別情報が予めメモリに記憶されている識別情報と一致したか否かを判定する第３の手順と、制御手段により、前記判定手段の判定結果に基づいて一致したと判定された場合には前記装置本体の動作を有効とし、不一致と判定された場合には前記装置本体の動作を禁止して前記装置本体の機能を停止させ、かつ異常を報知する警報報知部を駆動するように制御する第６の手順とを有することを特徴とする。
【００１２】
上記構成の本発明の装置盗難防止方法では、このような手順により、装置本体が設置される所定の場所の床面に配置された情報発信手段により固有の識別情報を発信し、装置本体側では、装置本体に内蔵された通信手段により前記情報発信手段にアクセスし、前記固有の識別情報を受信し、判定手段により前記受信した前記固有の識別情報が予めメモリに記憶されている識別情報と一致したか否かを判定し、制御手段により前記判定手段の判定結果に基づいて一致したと判定された場合には前記装置本体の動作を有効とし、不一致と判定された場合には前記装置本体の動作を禁止して前記装置本体の機能を停止させ、かつ警報音により異常を報知する警報報知部が駆動される。このため、異常が発生したことが警報音により周囲に報知され、かつ装置本体の機能が停止されるために装置本体の不正使用及び盗難を防止できる。このように、簡単な構成で装置本体の不正使用及び盗難を防止できる。
【００１３】
また、本発明の装置盗難検出装置は、装置本体が設置される場所の床面に配置され、固有の識別情報を発信する情報発信手段と、装置本体に内蔵され、前記情報発信手段にアクセスし、前記固有の識別情報を受信する通信手段と、受信した前記固有の識別情報が予めメモリに記憶されている識別情報と一致したか否かを判定する判定手段と、前記判定手段の判定結果に基づいて一致したと判定された場合には前記装置本体の動作を有効とし、不一致と判定された場合には前記装置本体の動作を禁止して前記装置本体の機能を停止させるように制御する制御手段とを有することを特徴とする。
【００１４】
上記構成からなる本発明の装置盗難検出装置では、装置本体が設置される場所の床面に配置された情報発信手段により固有の識別情報が発信され、装置本体側では、装置本体に内蔵された通信手段が前記情報発信手段にアクセスし、前記固有の識別情報を受信する。また、判定手段により通信手段が受信した前記固有の識別情報が予めメモリに記憶されている識別情報と一致したか否かを判定し、制御手段は前記判定手段の判定結果に基づいて一致したと判定された場合には前記装置本体の動作を有効とし、不一致と判定された場合には前記装置本体の動作を禁止して前記装置本体の機能を停止させるように制御する。
【００１５】
したがって、装置本体を所定の設置位置から移動させた場合には、装置本体側では、情報発信手段から発信されるべき固有の識別情報を受信できなくなるため、制御手段により、装置本体の動作が禁止され、装置本体の機能が停止される。このため、装置本体の不正使用を防止できる。このように、簡単な構成で装置本体の不正使用を防止できる。
【００１６】
また、本発明の装置盗難検出装置は、装置本体が設置される場所の床面に配置され、固有の識別情報を発信する情報発信手段と、装置本体に内蔵され、前記情報発信手段にアクセスし、前記固有の識別情報を受信する通信手段と、受信した前記固有の識別情報が予めメモリに記憶されている識別情報と一致したか否かを判定する判定手段と、警報音を発する警報報知部と、前記判定手段の判定結果に基づいて一致したと判定された場合には前記装置本体の動作を有効とし、不一致と判定された場合には異常を報知する警報報知部を駆動する制御手段とを有することを特徴とする。
【００１７】
上記構成からなる本発明の装置盗難検出装置では、装置本体が設置される場所の床面に配置された情報発信手段により固有の識別情報が発信され、装置本体側では、装置本体に内蔵された通信手段が前記情報発信手段にアクセスし、前記固有の識別情報を受信する。また、判定手段により通信手段が受信した前記固有の識別情報が予めメモリに記憶されている識別情報と一致したか否かを判定し、制御手段は前記判定手段の判定結果に基づいて一致したと判定された場合には前記装置本体の動作を有効とし、不一致と判定された場合には異常を報知する警報報知部を駆動する。
【００１８】
したがって、装置本体を所定の設置位置から移動させた場合には、装置本体側では、情報発信手段から発信されるべき固有の識別情報を受信できなくなるため、制御手段により、警報音により異常を報知する警報報知部が駆動される。このため、異常が発生したことが周囲に報知され、装置本体の不正使用または盗難を防止できる。このように、簡単な構成で装置本体の不正使用もしくは盗難を防止できる。
【００１９】
本発明の装置盗難検出装置は、装置本体が設置される場所の床面に配置され、固有の識別情報を発信する情報発信手段と、装置本体に内蔵され、前記情報発信手段にアクセスし、前記固有の識別情報を受信する通信手段と、受信した前記固有の識別情報が予めメモリに記憶されている識別情報と一致したか否かを判定する判定手段と、警報音を発する警報報知部と、前記判定手段の判定結果に基づいて一致したと判定された場合には前記装置本体の動作を有効とし、不一致と判定された場合には前記装置本体の動作を禁止して前記装置本体の機能を停止させ、かつ前記警報報知部を駆動するように制御する制御手段とを有することを特徴とする。
【００２０】
上記構成からなる本発明の装置盗難検出装置では、装置本体が設置される場所の床面に配置された情報発信手段により固有の識別情報が発信され、装置本体側では、装置本体に内蔵された通信手段が前記情報発信手段にアクセスし、前記固有の識別情報を受信する。また、判定手段により通信手段が受信した前記固有の識別情報が予めメモリに記憶されている識別情報と一致したか否かを判定し、制御手段は前記判定手段の判定結果に基づいて一致したと判定された場合には前記装置本体の動作を有効とし、不一致と判定された場合には前記装置本体の動作を禁止して前記装置本体の機能を停止させ、かつ前記警報報知部を駆動する。
【００２１】
したがって、装置本体を所定の設置位置から移動させた場合には、装置本体側では、情報発信手段から発信されるべき固有の識別情報を受信できなくなるため、制御手段により、装置本体の動作が禁止され、装置本体の機能が停止されるとともに、異常が発生したことが警報音により周囲に報知される。このため、装置本体の不正使用及び盗難を防止できる。このように、簡単な構成で装置本体の不正使用及び盗難を防止できる。
【発明の効果】
【００２２】
以上説明したように、本発明によれば、装置本体を所定の設置位置から移動させた場合には、装置本体側では、情報発信手段から発信されるべき固有の識別情報を受信できなくなるため、制御手段により、装置本体の動作が禁止され、装置本体の機能が停止される。このため、装置本体の不正使用を防止できる。このように、簡単な構成で装置本体の不正使用を防止できる。
【００２３】
また、装置本体を所定の設置位置から移動させた場合には、装置本体側では、情報発信手段から発信されるべき固有の識別情報を受信できなくなるため、制御手段により、警報音により異常を報知する警報報知部が駆動される。このため、異常が発生したことが周囲に報知され、装置本体の不正使用または盗難を防止できる。このように、簡単な構成で装置本体の不正使用もしくは盗難を防止できる。
【００２４】
さらに、装置本体を所定の設置位置から移動させた場合には、制御手段により、装置本体の動作が禁止され、装置本体の機能が停止されるとともに、異常が発生したことが警報音により周囲に報知される。このため、装置本体の不正使用及び盗難を防止できる。このように、簡単な構成で装置本体の不正使用及び盗難を防止できる。
【発明を実施するための最良の形態】
【００２５】
以下、本発明の実施形態を、図面を参照して詳細に説明する。本発明が適用される装置として券売機を例に取り、説明する。図１に本発明が適用される券売機の構成を示す。図１において、図１（Ａ）は券売機の装置本体１の正面図、図１（Ｂ）は券売機の装置本体１の側面図である。図１において、券売機の装置本体１は、予め決められた所定の場所の床面に設置されており、装置本体１が設置された床面２には、固有の識別情報（ＩＤ）を発信する情報発信手段としてのＲＦＩＤ（Ｒａｄｉｏ  Ｆｒｅｑｕｅｎｃｙ  Iｄｅｎｔｉｆｉｃａｔｉｏｎ）１０が埋設されている。
また、装置本体には、ＲＦＩＤ１０から受信した固有の識別情報であるＩＤを読み取り、チェックするＲＦＩＤ読取装置２０が内蔵されている。
【００２６】
ＲＦＩＤ１０とＲＦＩＤ読取装置２０との間で通信が行われるが、これらの具体的構成を図２に示す。図２において、ＲＦＩＤ１０は、アンテナ１００と、整流回路１０１と、復調回路１０２と、変調回路１０３と、ロードスイッチトランジスタ１０４と、メモリ１０５と、メモリ制御回路１０６とを有している。このＲＦＩＤ１０は、電源を持たないパッシブタイプのＲＦＩＤである。
整流回路１０１は、ＲＦＩＤ読取装置２０から受信した電波を整流し、各回路部に直流電源電圧を供給する機能を有している。
復調回路１０２は、ＲＦＩＤ読取装置２０から送信された電波から制御信号を取り出す機能を有している。
【００２７】
変調回路１０３は、ＩＤ番号を含む、データの送信の必要が有る場合には、メモリ１０５から読出したデータを所定の変調方式で変調し、その変調出力によりロードスイッチトランジスタ１０４をオン、オフ駆動し、アンテナ１００を介してＲＦＩＤ読取装置２０にデータを送信する機能を有している。
メモリ１０５には、固有の識別情報であるＩＤ番号が格納されている。
メモリ制御回路は、メモリ１０５からのＩＤ番号の読出し、書込みの制御を行う。
【００２８】
また、ＲＦＩＤ読取装置２０は、アンテナ２００と、サーキュレータ２０１と、変調回路２０２と、復調回路２０３とメモリ回路２０４と、制御回路２０５ＦＤとを有している。
サーキュレータ２０１は、１つのアンテナで送信側と受信側の回路を共用し、送信信号を効率的にアンテナに供給し、また受信した応答波を効率的に受信側の回路に送出する機能を有している。
【００２９】
上記構成からなるＲＦＩＤ１０とＲＦＩＤ読取装置２０とのデータの送受信動作について簡単に説明すると、ＲＦＩＤ読取装置２０は、制御回路２０５の制御下に、メモリ回路２０４から読み出したデータを変調回路２０２により変調したデータと、ＲＦＩＤ１０を動作させるためのエネルギーをアンテナ２００から送信する。
【００３０】
ＲＦＩＤ１０では、アンテナ１００で受信した電磁波エネルギー（電波）を整流回路１０１により直流の電源電圧に変換し、各回路部に供給する。これと同時に復調回路１０２によりＲＦＩＤ読取装置２０から送信されたデータ（制御信号）を取り出す。この制御信号により、メモリ制御回路１０６やメモリ１０５を駆動して所定の動作を行い、必要に応じて信号（データ）をＲＦＩＤ読取装置２０に送信する。
以上に、ＲＦＩＤ１０とＲＦＩＤ読取装置２０の構成及び一般的な動作の概略について、説明した。
【００３１】
次に、本発明の実施形態に係る装置盗難検出装置が券売機１に適用された構成例を図３に示す。同図において、本発明の実施形態に係る装置盗難検出装置は、装置本体１が設置される場所の床面に配置され、固有の識別情報を発信する情報発信手段としてのＲＦＩＤ１０と、装置本体１に内蔵され、前記情報発信手段にアクセスし、前記固有の識別情報を受信する通信手段と、受信した前記固有の識別情報が予めメモリに記憶されている識別情報と一致したか否かを判定する判定手段とを含むＲＦＩＤ読取装置２０と、前記判定手段の判定結果に基づいて一致したと判定された場合には前記装置本体の動作を有効とし、不一致と判定された場合には前記装置本体の動作を禁止して前記装置本体の機能を停止させるように制御する制御手段としての制御部３０と、異常報知を行う警報部４０と有している。ここで通信手段は、図２におけるアンテナ１００、復調回路１０２、変調回路１０３、ロードスイッチトランジスタ１０４、メモリ制御回路１０６からなる回路により構成され多機能ブロックに相当する。判定手段は、メモリ制御回路１０６に相当する。
【００３２】
上記構成において、ＲＦＩＤ読取装置２０では、ＲＦＩＤ１０に対して一定時間毎（例えば、１秒毎）にアクセスしてＩＤ番号を確認することにより装置本体１が所定の場所に設置された状態が維持されていることを認識する。
すなわち、装置本体１が設置される場所の床面に配置されたＲＦＩＤ１０により固有の識別情報（ＩＤ）が発信され、装置本体１側では、装置本体１に内蔵された通信手段がＲＦＩＤ１０にアクセスし、固有の識別情報であるＩＤ番号を受信する。
【００３３】
また、判定手段は、通信手段が受信した前記固有の識別情報が予めメモリ１０５に記憶されている識別情報と一致したか否かを判定する。制御手段としての制御部３０は前記判定手段の判定結果に基づいて一致したと判定された場合には装置本体１の動作を有効とし、不一致と判定された場合には装置本体１の動作を禁止して前記装置本体の機能を停止させるように制御する。ここで装置本体の機能とは、券売機が有する各種機能をいうものとする。
【００３４】
したがって、装置本体１を所定の設置位置から移動させた場合には、装置本体側では、情報発信手段から発信されるべき固有の識別情報を受信できなくなるため、制御手段により、装置本体の動作が禁止され、装置本体の機能が停止される。このため、装置本体の不正使用を防止できる。このように、簡単な構成で装置本体の不正使用を防止できる。
【００３５】
また、制御部３０は、ＲＦＩＤ読取装置２０における判定手段の判定結果がＲＦＩＤ１０からＩＤ番号が読み取れないか、または受信したＩＤ番号が予め記憶されているＩＤ番号と一致しない場合には、警報部４０を駆動し、警報音は発し、異常通報を行う。
したがって、装置本体を所定の設置位置から移動させた場合には、装置本体側では、情報発信手段から発信されるべき固有の識別情報を受信できなくなるため、制御手段により、警報音により異常を報知する警報報知部が駆動される。このため、異常が発生したことが周囲に報知され、装置本体の不正使用または盗難を防止できる。このように、簡単な構成で装置本体の不正使用もしくは盗難を防止できる。
【００３６】
さらに、制御部３０は、ＲＦＩＤ読取装置２０における判定手段の判定結果がＲＦＩＤ１０からＩＤ番号が読み取れないか、または受信したＩＤ番号が予め記憶されているＩＤ番号と一致しない場合には装置本体１の動作を禁止して前記装置本体の機能を停止させ、かつ警報部４０を駆動し、警報音は発し、異常通報を行うようにしてもよい。
この場合には、装置本体を所定の設置位置から移動させた場合には、制御手段により、装置本体の動作が禁止され、装置本体の機能が停止されるとともに、異常が発生したことが警報音により周囲に報知される。このため、装置本体の不正使用及び盗難を防止できる。このように、簡単な構成で装置本体の不正使用及び盗難を防止できる。
【図面の簡単な説明】
【００３７】
【図１】本発明が適用される券売機の構成を示し、図１（Ａ）は券売機の装置本体１の正面図、図１（Ｂ）は券売機の装置本体１の側面図である。
【図２】図１におけるＲＦＩＤ及びＲＦＩＤ読取装置の具体的構成を示すブロック図である。
【図３】本発明の実施形態に係る装置盗難検出装置が券売機１に適用された構成例を示す図である。
【符号の説明】
【００３８】
１…装置本体
１０…ＲＦＩＤ
２０…ＲＦＩＤ読取装置
３０…制御部
４０…警報部
１００、２００…アンテナ
１０１…整流回路
１０２、２０３…復調回路
１０３、２０２…変調回路
１０５…メモリ
１０−６…メモリ制御回路
２０１…サーキュレータ
２０４…メモリ回路
２０５…制御回路
【図１】
2009217374.tif 000003
【図２】
2009217374.tif 000004
【図３】
2009217374.tif 000005